(57)【要約】【課題】ヘルスケア情報を生成するヘルスケア情報生成サーバ、ヘルスケア情報生成方法、ヘルスケア情報生成プログラムを提供する。【解決手段】ヘルスケア情報生成サーバ３０は、利用者検索キーワードを有する利用者データが記録された利用者情報テーブル５０とヘルスケア一般個別情報とヘルスケア一般検索キーワードを有するヘルスケア一般データが記録されたヘルスケア一般情報テーブル５２と、ヘルスケア説明個別情報とヘルスケア説明検索キーワードを有するヘルスケア説明データが記録されたヘルスケア説明情報テーブル５４と、利用者検索キーワードに基づいてヘルスケア一般検索キーワードを検索し、一致したヘルスケア一般検索キーワードを取得するヘルスケア一般情報処理部３６とヘルスケア一般検索キーワードに基づいて、ヘルスケア説明検索キーワードを検索し、一致したヘルスケア説明検索キーワードを取得するヘルスケア説明情報処理部３８を備える。【選択図】図１
2020009082.tif 000002
【特許請求の範囲】
【請求項１】
利用者検索キーワードを有する利用者データが記録された利用者情報テーブルと、
ヘルスケア一般個別情報とヘルスケア一般検索キーワードとを有するヘルスケア一般データが記録されたヘルスケア一般情報テーブルと、
ヘルスケア説明個別情報とヘルスケア説明検索キーワードとを有するヘルスケア説明データが記録されたヘルスケア説明情報テーブルと、
前記利用者検索キーワードに基づいて前記ヘルスケア一般検索キーワードを検索し、一致した前記ヘルスケア一般検索キーワードを取得するヘルスケア一般情報処理部と、
取得された前記ヘルスケア一般検索キーワードに基づいて前記ヘルスケア説明検索キーワードを検索し、一致した前記ヘルスケア説明検索キーワードを取得するヘルスケア説明情報処理部と、
を備え、
前記取得された前記ヘルスケア一般検索キーワードに係る前記ヘルスケア一般個別情報と、
前記取得された前記ヘルスケア説明検索キーワードに係る前記ヘルスケア説明個別情報と、
を組み合わせて表示データを生成することを特徴とするヘルスケア情報生成サーバ。
【請求項２】
請求項１に記載のヘルスケア情報生成サーバにおいて、
医療商品個別情報と医療商品検索キーワードとを有する医療商品データが記録された医療商品情報テーブルと、
取得された前記ヘルスケア説明検索キーワードに基づいて前記医療商品検索キーワードを検索し、一致した前記医療商品検索キーワードを取得する医療商品情報処理部と、
を有し、
前記取得された前記ヘルスケア一般検索キーワードに係る前記ヘルスケア一般個別情報と、
前記取得された前記ヘルスケア説明検索キーワードに係る前記ヘルスケア説明個別情報と、
前記取得された前記医療商品検索キーワードに係る前記医療商品個別情報と、
を組み合わせて表示データを生成することを特徴とするヘルスケア情報生成サーバ。
【請求項３】
請求項１又２に記載のヘルスケア情報生成サーバにおいて、
前記利用者情報テーブルは、閲覧履歴を有し、
前記ヘルスケア一般情報処理部は、前記利用者検索キーワード及び前記変更履歴に基づいて前記ヘルスケア一般検索キーワードを検索し、一致した前記ヘルスケア一般検索キーワードを取得することを特徴とするヘルスケア情報生成サーバ。
【請求項４】
請求項１〜３のいずれか１項に記載のヘルスケア情報生成サーバにおいて、
前記取得された前記ヘルスケア一般情報検索キーワードに基づいて、前記利用者検索キーワードを更新することを特徴とするヘルスケア情報生成サーバ。
【請求項５】
利用者情報テーブルには、利用者検索キーワードを有する利用者データが記録され、ヘルスケア一般情報テーブルには、ヘルスケア一般個別情報とヘルスケア一般検索キーワードとを有するヘルスケア一般データが記録され、ヘルスケア説明情報テーブルには、ヘルスケア説明個別情報とヘルスケア説明検索キーワードとを有するヘルスケア説明データが記録され、
前記利用者検索キーワードに基づいて前記ヘルスケア一般検索キーワードを検索し、一致した前記ヘルスケア一般検索キーワードを取得するヘルスケア一般情報処理工程と、
取得された前記ヘルスケア一般検索キーワードに基づいて前記ヘルスケア説明検索キーワードを検索し、一致した前記ヘルスケア説明検索キーワードを取得するヘルスケア説明情報処理工程と、
を備え、
前記取得された前記ヘルスケア一般検索キーワードに係る前記ヘルスケア一般個別情報と、
前記取得された前記ヘルスケア説明検索キーワードに係る前記ヘルスケア説明個別情報と、
を組み合わせて表示データを生成することを特徴とするヘルスケア情報生成方法。
【請求項６】
請求項５に記載のヘルスケア情報生成方法において、
医療商品情報テーブルには、医療商品個別情報と医療商品検索キーワードとを有する医療商品データが記録され、
前記ヘルスケア説明情報処理工程で取得された前記ヘルスケア説明検索キーワードに基づいて前記医療商品検索キーワードを検索し、一致した前記医療商品検索キーワードを取得する医療商品情報処理工程と、
を有し、
前記取得された前記ヘルスケア一般検索キーワードに係る前記ヘルスケア一般個別情報と、
前記取得された前記ヘルスケア説明検索キーワードに係る前記ヘルスケア説明個別情報と、
前記取得された前記医療商品検索キーワードに係る前記医療商品個別情報と、
を組み合わせて表示データを生成することを特徴とするヘルスケア情報生成方法。
【請求項７】
利用者情報テーブルには、利用者検索キーワードを有する利用者データが記録され、ヘルスケア一般情報テーブルには、ヘルスケア一般個別情報とヘルスケア一般検索キーワードとを有するヘルスケア一般データが記録され、ヘルスケア説明情報テーブルには、ヘルスケア説明個別情報とヘルスケア説明検索キーワードとを有するヘルスケア説明データが記録され、
前記利用者検索キーワードに基づいて前記ヘルスケア一般検索キーワードを検索し、一致した前記ヘルスケア一般検索キーワードを取得するヘルスケア一般情報処理工程と、
取得された前記ヘルスケア一般検索キーワードに基づいて前記ヘルスケア説明検索キーワードを検索し、一致した前記ヘルスケア説明検索キーワードを取得するヘルスケア説明情報処理工程とを、
コンピュータに実行させ、
前記取得された前記ヘルスケア一般検索キーワードに係る前記ヘルスケア一般個別情報と、
前記取得された前記ヘルスケア説明検索キーワードに係る前記ヘルスケア説明個別情報と、
を組み合わせて表示データを生成することを特徴とするヘルスケア情報生成プログラム。
【請求項８】
請求項７に記載のヘルスケア情報生成プログラムにおいて、
医療商品情報テーブルには、医療商品個別情報と医療商品検索キーワードとを有する医療商品データが記録され、
前記ヘルスケア説明情報処理工程で取得された前記ヘルスケア説明検索キーワードに基づいて前記医療商品検索キーワードを検索し、一致した前記医療商品検索キーワードを取得する医療商品情報処理工程を、
前記コンピュータに実行させ、
前記取得された前記ヘルスケア一般検索キーワードに係る前記ヘルスケア一般個別情報と、
前記取得された前記ヘルスケア説明検索キーワードに係る前記ヘルスケア説明個別情報と、
前記取得された前記医療商品検索キーワードに係る前記医療商品個別情報と、
を組み合わせて表示データを生成することを特徴とするヘルスケア情報生成プログラム。
【発明の詳細な説明】
【技術分野】
【０００１】
本発明は、ヘルスケア情報を生成するヘルスケア情報生成サーバ、ヘルスケア情報生成方法及びヘルスケア情報生成プログラムに関する。
【背景技術】
【０００２】
近年、インターネットを利用して情報を収集する利用者に対して、利用者の興味を考慮して、情報を送信するシステムが知られている（特許文献１参照）。
【０００３】
特許文献１のシステムは、ドキュメント分析手段及びコンテンツ付加手段を有するサーバ、ドキュメント受信手段、表示手段及びコンテンツ入替手段を有する情報処理装置とを備えている。
【０００４】
特許文献１のシステムでは、ドキュメント分析手段により興味度に基づいて分析されたドキュメントに、コンテンツ付加手段が関連するドキュメントが付加されて、情報処理装置に送信される。情報処理装置は、受信した前記ドキュメントをコンテンツ入替手段により興味度に基づいてドキュメントの表示順を入れ替え、表示手段でドキュメントを表示している。
【先行技術文献】
【特許文献】
【０００５】
【特許文献１】特開２０１７−１５１７２５号公報
【発明の概要】
【発明が解決しようとする課題】
【０００６】
しかしながら、特許文献１のシステムでは、情報処理装置において、利用者の興味度に応じて、ドキュメントの表示順が入れ替えられている。従って、情報処理装置でドキュメントを受信してから、表示するまでの処理時間が必要となり、また、情報処理装置の処理負荷が大きい。また、情報処理装置に送信されたドキュメントは、一般的な社会的な興味度に応じて、分析されており、利用者の興味を考慮して、最適化されたドキュメントではないという問題がある。
【０００７】
本発明は、上記の課題を考慮してなされたものであって、利用者の興味があるヘルスケア情報を効果的に提供できるヘルスケア情報生成サーバ、ヘルスケア情報生成方法及びヘルスケア情報生成プログラムを提供することを目的とする。
【課題を解決するための手段】
【０００８】
本発明に係るヘルスケア情報生成サーバは、利用者検索キーワードを有する利用者データが記録された利用者情報テーブルと、ヘルスケア一般個別情報とヘルスケア一般検索キーワードとを有するヘルスケア一般データが記録されたヘルスケア一般情報テーブルと、ヘルスケア説明個別情報とヘルスケア説明検索キーワードとを有するヘルスケア説明データが記録されたヘルスケア説明情報テーブルと、前記利用者検索キーワードに基づいて前記ヘルスケア一般検索キーワードを検索し、一致した前記ヘルスケア一般検索キーワードを取得するヘルスケア一般情報処理部と、取得された前記ヘルスケア一般検索キーワードに基づいて前記ヘルスケア説明検索キーワードを検索し、一致した前記ヘルスケア説明検索キーワードを取得するヘルスケア説明情報処理部と、を備え、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成することを特徴とする。
【０００９】
前記ヘルスケア情報生成サーバにおいて、医療商品個別情報と医療商品検索キーワードとを有する医療商品データが記録された医療商品情報テーブルと、取得された前記ヘルスケア説明検索キーワードに基づいて前記医療商品検索キーワードを検索し、一致した前記医療商品検索キーワードを取得する医療商品情報処理部と、を有し、前記取得された前記ヘルスケア一般検索キーワードに係る前記ヘルスケア一般個別情報と、前記取得された前記ヘルスケア説明検索キーワードに係る前記ヘルスケア説明個別情報と、前記取得された前記医療商品検索キーワードに係る前記医療商品個別情報と、を組み合わせて表示データを生成することを特徴とする。
【００１０】
前記ヘルスケア情報生成サーバにおいて、前記利用者情報テーブルは、閲覧履歴を有し、前記ヘルスケア一般情報処理部は、前記利用者検索キーワード及び前記変更履歴に基づいて前記ヘルスケア一般検索キーワードを検索し、一致した前記ヘルスケア一般検索キーワードを取得することを特徴とする。
【００１１】
前記ヘルスケア情報生成サーバにおいて、前記取得された前記ヘルスケア一般情報検索キーワードに基づいて、前記利用者検索キーワードを更新することを特徴とする。
【００１２】
本発明に係るヘルスケア情報生成方法は、利用者情報テーブルには、利用者検索キーワードを有する利用者データが記録され、ヘルスケア一般情報テーブルには、ヘルスケア一般個別情報とヘルスケア一般検索キーワードとを有するヘルスケア一般データが記録され、ヘルスケア説明情報テーブルには、ヘルスケア説明個別情報とヘルスケア説明検索キーワードとを有するヘルスケア説明データが記録され、前記利用者検索キーワードに基づいて前記ヘルスケア一般検索キーワードを検索し、一致した前記ヘルスケア一般検索キーワードを取得するヘルスケア一般情報処理工程と、取得された前記ヘルスケア一般検索キーワードに基づいて前記ヘルスケア説明検索キーワードを検索し、一致した前記ヘルスケア説明検索キーワードを取得するヘルスケア説明情報処理工程と、を備え、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成することを特徴とする。
【００１３】
前記ヘルスケア情報生成方法において、医療商品情報テーブルには、医療商品個別情報と医療商品検索キーワードとを有する医療商品データが記録され、前記ヘルスケア説明情報処理工程で取得された前記ヘルスケア説明検索キーワードに基づいて前記医療商品検索キーワードを検索し、一致した前記医療商品検索キーワードを取得する医療商品情報処理工程と、を有し、前記取得された前記ヘルスケア一般検索キーワードに係る前記ヘルスケア一般個別情報と、前記取得された前記ヘルスケア説明検索キーワードに係る前記ヘルスケア説明個別情報と、前記取得された前記医療商品検索キーワードに係る前記医療商品個別情報と、を組み合わせて表示データを生成する。
【００１４】
本発明に係るヘルスケア情報生成プログラムは、利用者情報テーブルには、利用者検索キーワードを有する利用者データが記録され、ヘルスケア一般情報テーブルには、ヘルスケア一般個別情報とヘルスケア一般検索キーワードとを有するヘルスケア一般データが記録され、ヘルスケア説明情報テーブルには、ヘルスケア説明個別情報とヘルスケア説明検索キーワードとを有するヘルスケア説明データが記録され、前記利用者検索キーワードに基づいて前記ヘルスケア一般検索キーワードを検索し、一致した前記ヘルスケア一般検索キーワードを取得するヘルスケア一般情報処理工程と、取得された前記ヘルスケア一般検索キーワードに基づいて前記ヘルスケア説明検索キーワードを検索し、一致した前記ヘルスケア説明検索キーワードを取得するヘルスケア説明情報処理工程とを、コンピュータに実行させ、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成する。
【００１５】
前記ヘルスケア情報生成プログラムにおいて、医療商品情報テーブルには、医療商品個別情報と医療商品検索キーワードとを有する医療商品データが記録され、前記ヘルスケア説明情報処理工程で取得された前記ヘルスケア説明検索キーワードに基づいて前記医療商品検索キーワードを検索し、一致した前記医療商品検索キーワードを取得する医療商品情報処理工程を、前記コンピュータに実行させ、前記取得された前記ヘルスケア一般検索キーワードに係る前記ヘルスケア一般個別情報と、前記取得された前記ヘルスケア説明検索キーワードに係る前記ヘルスケア説明個別情報と、前記取得された前記医療商品検索キーワードに係る前記医療商品個別情報と、を組み合わせて表示データを生成する。
【発明の効果】
【００１６】
本発明のヘルスケア情報生成サーバでは、ヘルスケア一般個別情報表示内容及びヘルスケア説明個別情報表示内容を組み合わせた表示データを生成し、端末に送信することにより、利用者に対して、興味があるヘルスケアに関する情報を効果的に提供することができる。
【００１７】
また、ヘルスケア情報生成サーバでは、ヘルスケア一般個別情報表示内容、ヘルスケア説明個別情報表示内容及び医療商品個別情報表示内容を組み合わせた表示データを生成し、端末に送信することにより、利用者に対して、興味があるヘルスケアに関する情報を効果的に提供することができる。
【００１８】
ヘルスケア情報生成サーバでは、利用者情報テーブルは、閲覧履歴を有し、ヘルスケア一般情報処理部は、利用者検索キーワード及び変更履歴に基づいてヘルスケア一般検索キーワードを検索し、一致したヘルスケア一般検索キーワードを取得することにより、利用者がより興味があるヘルスケアに関する情報を効果的に提供することができる。
【００１９】
ヘルスケア情報生成サーバでは、取得されたヘルスケア一般情報検索キーワードに基づいて、利用者検索キーワードを更新することにより、利用者がより興味があるヘルスケアに関する情報を効果的に提供することができる。
【図面の簡単な説明】
【００２０】
【図１】本発明の実施形態に係るヘルスケア情報生成システムの説明図である。
【図２】図２Ａは利用者情報テーブルの説明図であり、図２Ｂはヘルスケア一般情報テーブルの説明図であり、図２Ｃはヘルスケア説明情報テーブルの説明図であり、図２Ｄは医療商品情報テーブルである。
【図３】本発明の実施形態の処理手順の説明図である。
【図４】表示データの説明図である。
【図５】本発明の実施形態の変形例の処理手順の説明図である。
【図６】変形例の表示内容の説明図である。
【図７】ヘルスケア情報生成サーバの機能を実現するコンピュータの一例を示すハードウェアの説明図である。
【発明を実施するための形態】
【００２１】
以下に、本願にかかるヘルスケア情報生成サーバ、ヘルスケア情報生成方法及びヘルスケア情報生成プログラムを実施するための形態（以下、「実施形態」という）について、図面を参照しつつ詳細に説明する。図１は、本発明の実施形態に係るヘルスケア情報生成システム１０の説明図であり、図２Ａは利用者情報テーブル５０の説明図であり、図２Ｂはヘルスケア一般情報テーブル５２の説明図であり、図２Ｃはヘルスケア説明情報テーブル５４の説明図であり、図２Ｄは医療商品情報テーブル５６の説明図である。
【００２２】
＜ヘルスケア情報生成システム１０の構成の説明＞
ヘルスケア情報生成システム１０は、端末１２及びヘルスケア情報生成サーバ３０を備える。端末１２は、公衆回線２０を介してヘルスケア情報生成サーバ３０に接続可能である。端末１２は、通信機能を有する端末である。公衆回線２０は、インターネット等で構成される公衆回線である。
【００２３】
ヘルスケア情報生成サーバ３０は、制御部３２、表示制御部４２、記憶部４４、通信部４６及びデータベース部４８を備え、これらがバス５８に接続されている。
【００２４】
制御部３２は、例えば、ＣＰＵ（Central Processing Unit）やＭＰＵ（Micro Processing Unit）等によって構成される。制御部３２では、ヘルスケア情報生成サーバ３０内の記憶装置に記憶されている各種プログラムがＲＡＭ（Random Access Memory）上にロードされ、実行される。制御部３２は、例えば、ＡＳＩＣ（Application Specific Integrated Circuit）やＦＰＧＡ（Field Programmable Gate Array）等の集積回路により実現される。
【００２５】
制御部３２は、利用者情報処理部３４、ヘルスケア一般情報処理部３６、ヘルスケア説明情報処理部３８及び医療商品情報処理部４０を備える。データベース部４８は、利用者情報テーブル５０、ヘルスケア一般情報テーブル５２、ヘルスケア説明情報テーブル５４及び医療商品情報テーブル５６を備える。
【００２６】
利用者情報処理部３４は、端末１２のヘルスケア情報生成サーバ３０への認証をする機能、利用者情報テーブル５０を管理する機能を有する。
【００２７】
ヘルスケア一般情報処理部３６は、利用者情報処理部３４によって取得された利用者検索キーワードに基づいたヘルスケア一般情報テーブル５２を検索する機能、ヘルスケア一般情報テーブル５２を管理する機能を有する。
【００２８】
ヘルスケア説明情報処理部３８は、ヘルスケア一般情報処理部３６によって取得されたヘルスケア一般検索キーワードに基づいたヘルスケア説明情報テーブル５４を検索する機能、ヘルスケア説明情報テーブル５４を管理する機能を有する。
【００２９】
医療商品情報処理部４０は、ヘルスケア説明情報処理部３８によって取得されたヘルスケア説明検索キーワードに基づいた医療商品情報テーブル５６を検索する機能、医療商品情報テーブル５６を管理する機能を有する。
【００３０】
利用者情報テーブル５０には、利用者個別情報と利用者検索キーワードと閲覧履歴とを備える利用者データが記録される。利用者個別情報として、利用者名（Ｎ）、ＩＤ（Ｉ）、パスワード（Ｐ）、メールアドレス（Ｍ）、性別（Ｓ）、年齢（Ａ）、血液型（Ｂ）、身長（Ｈ）、体重（Ｗ）等が利用者情報テーブル５０に記録される。また、利用者検索キーワードとして、利用者個別情報に基づいたキーワード、利用者の趣味、趣向、職業、資産等に基づいて生成されたキーワードが利用者情報テーブル５０に記録される。さらに、閲覧履歴には、利用者が閲覧した日時、閲覧時間、利用者が閲覧した記事等に基づいて作成されたキーワードが記録される。
【００３１】
図２Ａに示されるように、利用者情報テーブル５０には、一例として、利用者ＩＤ（Ｉ）としてＩａ、パスワード（Ｐ）としてＰａが記憶されている。
【００３２】
ヘルスケア一般情報テーブル５２には、ヘルスケア一般個別情報とヘルスケア一般検索キーワードとを備えるヘルスケア一般データが記録される。ヘルスケア一般個別情報としては、新聞社、通信社、放送局、出版社等のマスメディアから収集された健康、ヘルスケアに関するニュース、報道等である。ヘルスケア一般個別情報は、テキスト情報、画像データ、動画データ、音声データ等から構成される。ヘルスケア一般検索キーワードは、ヘルスケア一般個別情報に基づいて生成されたキーワードである。
【００３３】
ヘルスケア説明情報テーブル５４には、ヘルスケア説明個別情報とヘルスケア説明検索キーワードとを備えるヘルスケア説明データが記録される。ヘルスケア説明個別情報としては、医師、行政庁、製薬メーカ、食品メーカ等の専門機関から収集された健康、ヘルスケアに関する説明である。ヘルスケア説明個別情報は、テキスト情報、画像データ、動画データ、音声データ等から構成される。ヘルスケア説明検索キーワードは、ヘルスケア説明個別情報に基づいて生成されたキーワードである。
【００３４】
医療商品情報テーブル５６には、医療商品個別情報と医療商品検索キーワードとを備える医療商品データが記録される。医療商品個別情報は、病気に対する治療方法、対処方法、病院等を含む、医療機関の情報、商品名、価格、用途、効能等に関する情報である。医療商品検索キーワードは、医療商品個別情報に基づいて生成されたキーワードである。医療商品情報テーブル５６に記録される医療商品データは、上述した専門機関から提供されたデータである。
【００３５】
表示制御部４２は、記憶部４４に記憶される情報に基づいて端末１２に表示させる表示データを生成し、端末１２に送信する機能を有する。記憶部４４には、端末１２に送信されるヘルスケア一般個別情報とヘルスケア説明個別情報と医療商品個別情報が記憶される。通信部４６は、端末１２と通信するための機能を有する。
【００３６】
＜ヘルスケア情報生成システム１０の動作の説明＞
次に、ヘルスケア情報生成システム１０の動作について、図３を用いて説明する。図３は、本発明の実施形態の処理手順の説明図である。
【００３７】
まず、端末１２の利用者は、端末１２によって公衆回線２０を介してヘルスケア情報生成サーバ３０に接続する（ステップＳ１）。ヘルスケア情報生成サーバ３０の利用者情報処理部３４は、通信部４６より公衆回線２０を介して、ヘルスケア情報生成サーバ３０へ接続するための利用者ＩＤ及びパスワードの入力を求める旨を端末１２に送信する。端末１２の表示画面には、前記入力を求める旨が表示される。利用者は、利用者ＩＤ及びパスワードを入力し、入力された利用者ＩＤ及びパスワードがヘルスケア情報生成サーバ３０へ送信される。利用者情報処理部３４は、認証情報として利用者ＩＤ及びパスワードを取得する。
【００３８】
利用者情報処理部３４は、取得した利用者ＩＤ及びパスワードと、利用者情報テーブル５０に記憶されている利用者ＩＤ及びパスワードとを照合する（ステップＳ２）。端末１２から送信された利用者ＩＤがＩａ、パスワードＰａであるならば、利用者情報処理部３４は照合が一致したと判断する（ステップＳ２  ＹＥＳ）。また、利用者ＩＤ又はパスワードの少なくとも一方が一致しなかった場合には、再度の利用者ＩＤ又はパスワードの入力が求められる（ステップＳ２  ＮＯ）。
【００３９】
利用者情報処理部３４は、利用者情報テーブル５０から一致した利用者データの利用者検索キーワードを取得し、ヘルスケア一般情報処理部３６に送信する（ステップＳ３）。
【００４０】
ヘルスケア一般情報処理部３６は、受信した利用者検索キーワードに基づいて、ヘルスケア一般情報テーブル５２のヘルスケア一般検索キーワードを検索し、一致するヘルスケア一般データを検索し、判定する（ステップＳ４）。ここで、一致の判定は、キーワードを総合的に勘案して、機械学習の判断結果に基づいて、判断される。
【００４１】
ヘルスケア一般情報処理部３６は、ヘルスケア一般情報テーブル５２から一致したヘルスケア一般データのヘルスケア一般検索キーワードを取得し、利用者情報処理部３４及びヘルスケア説明情報処理部３８に送信する（ステップＳ５）。また、ヘルスケア一般情報処理部３６は、一致したヘルスケア一般データのヘルスケア一般個別情報を記憶部４４に記憶する（ステップＳ６）。
【００４２】
ヘルスケア説明情報処理部３８は、受信したヘルスケア一般検索キーワードに基づいて、ヘルスケア説明情報テーブル５４のヘルスケア説明検索キーワードを検索し、一致するヘルスケア説明データを検索し、判定する（ステップＳ７）。一致の判定は、上述した利用者検索キーワードとヘルスケア一般検索キーワードとの一致判定と同様に行われる。
【００４３】
ヘルスケア説明情報処理部３８は、ヘルスケア説明情報テーブル５４から一致したヘルスケア説明データのヘルスケア説明検索キーワードを取得し、医療商品情報処理部４０に送信する（ステップＳ８）。また、ヘルスケア説明情報処理部３８は、一致したヘルスケア説明データのヘルスケア説明個別情報を記憶部４４に記憶する（ステップＳ９）。
【００４４】
医療商品情報処理部４０は、受信したヘルスケア説明検索キーワードに基づいて、医療商品情報テーブル５６の医療商品検索キーワードを検索し、一致する医療商品データを検索し、判定する（ステップＳ１０）。一致の判定は、上述した利用者検索キーワードとヘルスケア一般検索キーワードとの一致判定と同様に行われる。
【００４５】
医療商品情報処理部４０は、一致した医療商品データの医療商品個別情報を記憶部４４に記憶する（ステップＳ１１）。
【００４６】
表示制御部４２は、記憶部４４に記憶されているヘルスケア一般個別情報、ヘルスケア説明個別情報及び医療商品個別情報を組み合わせて、表示データを生成し、生成した表示データを端末１２に送信する（ステップＳ１２）。
【００４７】
利用者情報処理部３４は、一致したヘルスケア一般データのヘルスケア一般検索キーワードを取得し、利用者情報テーブル５０の利用者検索キーワードを更新する（ステップＳ１３）。また、利用者情報処理部３４は、利用者情報テーブル５０の閲覧履歴を更新する（ステップＳ１４）。
【００４８】
図４は、表示データの説明図である。図４では、ヘルスケア一般個別情報表示内容６０、ヘルスケア説明個別情報表示内容６２、医療商品個別情報表示内容６４が、この順番に組み合わせて生成されている。
【００４９】
ヘルスケア一般個別情報表示内容６０は、マスメディアから配信された健康、ヘルスケアに関するニュースを示す。ヘルスケア一般個別情報表示内容６０により、利用者は興味がある健康、ヘルスケアに関する情報について「知る」ことができる。
【００５０】
ヘルスケア説明個別情報表示内容６２は、ヘルスケア一般個別情報表示内容６０のニュースに関連した情報であって、専門機関で説明された情報を示す。ヘルスケア説明個別情報表示内容６２により、利用者は、興味がある健康、ヘルスケアに関する情報に関して、専門機関で説明された情報に基づいて「学ぶ」ことができる。
【００５１】
医療商品個別情報表示内容６４は、ヘルスケア説明個別情報表示内容６２の説明に関連した医療商品情報を示す。医療商品個別情報表示内容６４により、利用者は、興味がある健康、ヘルスケアに関する課題について、「解決」することができる。
【００５２】
ヘルスケア情報生成サーバ３０は、利用者検索キーワードを有する利用者データが記録された利用者情報テーブル５０と、ヘルスケア一般個別情報とヘルスケア一般検索キーワードとを有するヘルスケア一般データが記録されたヘルスケア一般情報テーブル５２と、ヘルスケア説明個別情報とヘルスケア説明検索キーワードとを有するヘルスケア説明データが記録されたヘルスケア説明情報テーブル５４と、医療商品個別情報と医療商品検索キーワードとを有する医療商品データが記録された医療商品情報テーブル５６と、前記利用者検索キーワードに基づいて前記ヘルスケア一般検索キーワードを検索し、一致した前記ヘルスケア一般検索キーワードを取得するヘルスケア一般情報処理部３６と、取得された前記ヘルスケア一般検索キーワードに基づいて前記ヘルスケア説明検索キーワードを検索し、一致した前記ヘルスケア説明検索キーワードを取得するヘルスケア説明情報処理部３８と、取得された前記ヘルスケア説明検索キーワードに基づいて前記医療商品検索キーワードを検索し、一致した前記医療商品検索キーワードを取得する医療商品情報処理部４０と、を備え、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成する。
【００５３】
ヘルスケア情報生成サーバ３０は、ヘルスケア一般個別情報表示内容６０、ヘルスケア説明個別情報表示内容６２及び医療商品個別情報表示内容６４を組み合わせた表示データを生成し、端末１２に送信することにより、利用者に対して、興味がある健康、ヘルスケアに関する情報を効果的に提供することができる。
【００５４】
ヘルスケア情報生成サーバ３０において、前記利用者情報テーブル５０は、閲覧履歴を有し、前記ヘルスケア一般情報処理部３６は、前記利用者検索キーワード及び前記変更履歴に基づいて前記ヘルスケア一般検索キーワードを検索し、一致した前記ヘルスケア一般検索キーワードを取得することにより、利用者がより興味がある健康、ヘルスケアに関する情報を効果的に提供することができる。
【００５５】
ヘルスケア情報生成サーバ３０において、前記取得された前記ヘルスケア一般情報検索キーワードに基づいて、前記利用者検索キーワードを更新することにより、利用者がより興味がある健康、ヘルスケアに関する情報を効果的に提供することができる。
【００５６】
＜ヘルスケア情報生成システム１０の変形例の説明＞
次に、本発明の実施形態の変形例について説明する。図５は、本発明の実施形態の変形例に係る処理手順の説明図である。本発明の実施形態の変形例の処理手順のうち、ステップＳ１〜ステップＳ８は、上述した処理手順のステップＳ１〜ステップＳ８と同様であり、その説明を省略する。
【００５７】
ヘルスケア説明情報処理部３８は、ステップＳ８の処理後に、ヘルスケア説明情報処理部３８は、一致したヘルスケア説明データのヘルスケア説明個別情報を記憶部４４に記憶する（ステップＳ２０）。
【００５８】
表示制御部４２は、記憶部４４に記憶されているヘルスケア一般個別情報及びヘルスケア説明個別情報を組み合わせて表示データを生成し、生成した表示データを端末１２に送信する（ステップＳ２１）。
【００５９】
利用者情報処理部３４は、一致したヘルスケア一般データのヘルスケア一般検索キーワードを取得し、利用者情報テーブル５０の利用者検索キーワードを更新する（ステップＳ２２）。また、利用者情報処理部３４は、利用者情報テーブル５０の閲覧履歴を更新する（ステップＳ２３）。
【００６０】
図６は、表示データの説明図である。図６では、ヘルスケア一般個別情報表示内容６０、ヘルスケア説明個別情報表示内容６２が、この順番に生成されている。
【００６１】
ヘルスケア情報生成サーバ３０は、利用者検索キーワードを有する利用者データが記録された利用者情報テーブル５０と、ヘルスケア一般個別情報とヘルスケア一般検索キーワードとを有するヘルスケア一般データが記録されたヘルスケア一般情報テーブル５２と、ヘルスケア説明個別情報とヘルスケア説明検索キーワードとを有するヘルスケア説明データが記録されたヘルスケア説明情報テーブル５４と、前記利用者検索キーワードに基づいて前記ヘルスケア一般検索キーワードを検索し、一致した前記ヘルスケア一般検索キーワードを取得するヘルスケア一般情報処理部３６と、取得された前記ヘルスケア一般検索キーワードに基づいて前記ヘルスケア説明検索キーワードを検索し、一致した前記ヘルスケア説明検索キーワードを取得するヘルスケア説明情報処理部３８と、を備え、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成する。
【００６２】
ヘルスケア情報生成サーバ３０は、ヘルスケア一般個別情報表示内容６０及びヘルスケア説明個別情報表示内容６２を組み合わせた表示データを生成し、端末１２に送信することにより、利用者に対して、興味がある健康、ヘルスケアに関する情報を効果的に提供することができる。
【００６３】
上述したヘルスケア情報生成サーバ３０は、例えば、図７に示すような構成のコンピュータ１００によって実現される。図７は、ヘルスケア情報生成サーバ３０の機能を実現するコンピュータ１００の一例を示すハードウェアの説明図である。コンピュータ１００は、ＣＰＵ１１０、ＲＡＭ１２０、ＲＯＭ１３０、補助記憶部１４０、ネットワークインターフェイス（ＮＷ  Ｉ／Ｆ）１５０、入力部１６０、出力部１７０及び記憶媒体インターフェイス（記憶媒体Ｉ／Ｆ）１８０を備える。これらの各部は、バス１９０によって接続される。
【００６４】
＜プログラムに係る実施形態の説明＞
ＣＰＵ１１０は、ＲＯＭ１３０又は補助記憶部１４０に記憶されたプログラムに基づいて動作し、各部を制御する。ＲＯＭ１３０には、コンピュータ１００の起動時にＣＰＵ１１０によって実行されるＢＩＯＳ（Basic Input Output System）等のブートプログラムや、コンピュータ１００のハードウェアに依存するプログラム等が記憶される。
【００６５】
補助記憶部１４０は、大容量記憶部である。補助記憶部１４０には、ＣＰＵ１１０によって実行されるプログラム、及び、前記プログラムによって使用されるデータ等が記憶されている。
【００６６】
ネットワークインターフェイス１５０は、公衆回線２０を介して、コンピュータ１００が端末１２と接続するためのネットワークインターフェースである
【００６７】
入力部１６０は、キーボード、マウス等の入力デバイスである。入力デバイスとしては、タッチパネル、カメラ、マイク等が含まれてもよい。
【００６８】
出力部１７０は、ディスプレイ等の表示部である。また、出力部１７０には、スピーカが含まれてもよい。
【００６９】
記憶媒体インターフェイス１８０は、記録媒体に記憶されたプログラム又はデータを読み取り、ＲＡＭ１２０を介してＣＰＵ１１０に提供する。記録媒体としては、例えば、ＤＶＤ、ＤＶＤ−ＲＡＭ、Ｂｌｕ−ｒａｙ（登録商標）Ｄｉｓｋ等の光学記録媒体、フラッシュメモリ等の半導体メモリ、ＭＯ等の光磁気記録媒体、テープ媒体、磁気記録媒体等である。
【００７０】
コンピュータ１００がヘルスケア情報生成サーバ３０として機能する場合、ＣＰＵ１１０は、補助記憶部１４０からプログラムを読み取り、ＲＡＭ１２０上にロードされたプログラムを実行することにより、ヘルスケア情報生成サーバ３０の機能を実現する。また、ＣＰＵ１１０は、記憶媒体インターフェイス１８０を介して、記録媒体からプログラムを読み取り、ＲＡＭ１２０上にロードされたプログラムを実行することにより、ヘルスケア情報生成サーバ３０の機能を実現してもよい。
【００７１】
なお、コンピュータ１００は、ヘルスケア情報生成サーバ３０の機能を実行するための構成の一例を示したものであり、コンピュータ１００を構成要素以外のハードウェアを排除するものではない。また、これらの構成を全て備える必要もない。例えば、補助記憶部１４０、記憶媒体インターフェイス１８０を備えない構成であってもよい。
【００７２】
ヘルスケア情報生成プログラムは、利用者情報テーブル５０には、利用者検索キーワードを有する利用者データが記録され、ヘルスケア一般情報テーブル５２には、ヘルスケア一般個別情報とヘルスケア一般検索キーワードとを有するヘルスケア一般データが記録され、ヘルスケア説明情報テーブル５４には、ヘルスケア説明個別情報とヘルスケア説明検索キーワードとを有するヘルスケア説明データが記録され、前記利用者検索キーワードに基づいて前記ヘルスケア一般検索キーワードを検索し、一致した前記ヘルスケア一般検索キーワードを取得するヘルスケア一般情報処理工程と、取得された前記ヘルスケア一般検索キーワードに基づいて前記ヘルスケア説明検索キーワードを検索し、一致した前記ヘルスケア説明検索キーワードを取得するヘルスケア説明情報処理工程とを、コンピュータ１００に実行させ、前記取得された前記ヘルスケア一般検索キーワードに係る前記ヘルスケア一般個別情報と、前記取得された前記ヘルスケア説明検索キーワードに係る前記ヘルスケア説明個別情報と、を組み合わせて表示データを生成する。
【００７３】
ヘルスケア情報生成プログラムにおいて、医療商品情報テーブル５６には、医療商品個別情報と医療商品検索キーワードとを有する医療商品データが記録され、前記ヘルスケア説明情報処理工程で取得された前記ヘルスケア説明検索キーワードに基づいて前記医療商品検索キーワードを検索し、一致した前記医療商品検索キーワードを取得する医療商品情報処理工程を、前記コンピュータ１００に実行させ、前記取得された前記ヘルスケア一般検索キーワードに係る前記ヘルスケア一般個別情報と、前記取得された前記ヘルスケア説明検索キーワードに係る前記ヘルスケア説明個別情報と、前記取得された前記医療商品検索キーワードに係る前記医療商品個別情報と、を組み合わせて表示データを生成する。
【００７４】
なお、本発明は、上述の実施形態に限らず、本発明の要旨を逸脱することなく、種々の構成を採り得ることはもちろんである。
【００７５】
上述の実施形態では、利用者個別情報として、利用者名等が利用者情報テーブル５０に記録されているが、利用者を特定できる情報であれば、これに限定されるものではない。例えば、利用者の端末のＳＩＭ（Subscriber Identity Module）カードに記録された加入者を特定するためのＩＤ番号や、利用者の端末の端末情報や、利用者の端末の位置情報、利用者の勤務会社であってもよい。
【００７６】
上述の実施形態では、ステップＳ３において、一致の判断は、キーワードを総合的に勘案した機械学習の判断結果に基づいて行っていたが、一致の判断が適切であれば、これに限定されるものではない。例えば、キーワードの点数の合計点で判断される。具体的には、各キーワードに重要度によって重み付けを設定し、利用者検索キーワードに基づいて、ヘルスケア一般検索キーワードを検索し、一致したキーワードの点数を集計して、最も点数が高い場合に一致したと判定してもよい。また、利用者検索キーワードとヘルスケア一般検索キーワードを照合し、一致したキーワード数で判断してもよい。
【００７７】
また、上述の実施形態では、ステップＳ３、ステップＳ４において、利用者検索キーワードに基づいて処理していたが、利用者検索キーワード及び利用者情報テーブル５０の閲覧履歴に基づいて、処理してもよい。
【００７８】
さらに、上述の実施形態の制御部３２、ＣＰＵ１１０の演算処理の一部をＧＰＵ（Graphics Processing Unit）によって行ってもよい。
【符号の説明】
【００７９】
１０…ヘルスケア情報生成システム
１２…端末
２０…公衆回線
３０…ヘルスケア情報生成サーバ
３２…制御部
３４…利用者情報処理部
３６…ヘルスケア一般情報処理部
３８…ヘルスケア説明情報処理部
４０…医療商品情報処理部
４２…表示制御部
４４…記憶部
４６…通信部
４８…データベース部
５０…利用者情報テーブル
５２…ヘルスケア一般情報テーブル
５４…ヘルスケア説明情報テーブル
５６…医療商品情報テーブル
５８、１９０…バス
６０…ヘルスケア一般個別情報表示内容
６２…ヘルスケア説明個別情報表示内容
６４…医療商品個別情報表示内容
１００…コンピュータ
１１０…ＣＰＵ
１２０…ＲＡＭ
１３０…ＲＯＭ
１４０…補助記憶部
１５０…ネットワークインターフェイス（ＮＷ  Ｉ／Ｆ）
１６０…入力部
１７０…出力部
１８０…記憶媒体インターフェイス（記憶媒体Ｉ／Ｆ）
【図１】
2020009082.tif 000003
【図２】
2020009082.tif 000004
【図３】
2020009082.tif 000005
【図４】
2020009082.tif 000006
【図５】
2020009082.tif 000007
【図６】
2020009082.tif 000008
【図７】
2020009082.tif 000009